(57)【要約】      （修正有）【課題】組立性を向上しつつ、梱包形態の省スペース化を図ることができる収納ケースを提供する。【解決手段】収納ケースの骨格フレーム２０では、枠フレーム３０とフロント支柱５０及びリヤ支柱６０とが一体に形成されている。このため、収納ケースの組立性を向上することができる。また、枠フレーム３０の幅方向両側部には、枠フレーム３０の幅方向の最外形よりも幅方向内側へ窪んだ抉り部３３が形成されている。そして、骨格フレーム２０のネスティング時には、下側の骨格フレーム２０のフロント支柱５０が、上側の骨格フレーム２０における抉り部３３内に配置される。これにより、枠フレーム３０にリヤ支柱６０及びフロント支柱５０を一体に形成した骨格フレーム２０であっても、骨格フレーム２０を上下に積重ねた状態にネスティングすることができる。【選択図】図１
2020195476.tif 000002
【特許請求の範囲】
【請求項１】
骨格フレームと、
上側へ開放された箱状に形成されると共に、前後方向にスライド可能に前記骨格フレームに収容されたケース体と、
を備え、
前記骨格フレームは、
前記ケース体が載置される底フレームと、
前記底フレームに一体に形成され、前記底フレームの後端部における幅方向両端部から上側へ突出された一対のリヤ支柱と、
前記底フレームに一体に形成され、前記底フレームの前端側部分における幅方向両端部から上側へ突出された一対のフロント支柱と、
を含んで構成されており、
前記底フレームの幅方向両側部には、前記フロント支柱と前記リヤ支柱との間において、前記底フレームの幅方向の最外形よりも幅方向内側へ窪んだ一対の抉り部が形成されており、
前記骨格フレームのネスティング時に、下側の前記骨格フレームの前記フロント支柱が、上側の前記骨格フレームにおける前記抉り部の内部に配置される収納ケース。
【請求項２】
前記抉り部は、前記底フレームの幅方向両側部における前記フロント支柱と前記リヤ支柱との間の部位の全体に亘って前後方向に延在され、
前記抉り部の底面は、平面視で、前記底フレームの幅方向外側へ凸となる湾曲面として構成されており、
前記骨格フレームのネスティング時に、下側の前記骨格フレームの前記フロント支柱が、上側の前記骨格フレームにおける前記抉り部の前端部の内部に配置されると共に、上側の前記骨格フレームの前記湾曲面が、下側の前記骨格フレームにおける前記フロント支柱の後側の角部に当接する請求項１に記載の収納ケース。
【請求項３】
前記底フレームは、矩形枠状に形成され、
前記底フレームの外周縁部には、下側へ屈曲され且つ前記抉り部を構成する外周リブが形成され、
前記底フレームの幅方向両側の外周部には、前後方向に延在された一対の第１補強部が形成されており、前記第１補強部が、前記底フレームの上側へ隆起され且つ下側へ開放された溝状に形成されている請求項１又は請求項２に記載の収納ケース。
【請求項４】
前記第１補強部の前端部が、前側へ向かうに従い前記骨格フレームの幅方向外側へ傾斜されて前記フロント支柱に接続されており、
前記第１補強部の後端部が、前記骨格フレームの幅方向外側へ屈曲されて前記リヤ支柱に接続されている請求項３に記載の収納ケース。
【請求項５】
前記第１補強部の内部には、前記第１補強部と前記抉り部を構成する前記外周リブとを連結する補強リブが形成されている請求項３又は請求項４に記載の収納ケース。
【請求項６】
前記底フレームには、前記第１補強部に対して前記骨格フレームの幅方向内側において、前後方向に延在された第２補強部が形成されており、
前記第２補強部は、前記底フレームの下側へ隆起され且つ上側へ開放された溝状に形成されると共に、前記第１補強部と連続して形成されている請求項３〜請求項５の何れか１項に記載の収納ケース。
【請求項７】
前記底フレームの後側の外周部には、左右方向に延在され且つ一対の前記リヤ支柱を連結する第３補強部が形成され、前記第３補強部が、前記底フレームの上側へ隆起され且つ下側へ開放された溝状に形成されており、
前記骨格フレームには、前記第１補強部と前記第３補強部とを連結する連結リブが形成されている請求項３〜請求項６の何れか１項に記載の収納ケース。
【請求項８】
前記フロント支柱の上端部及び前記リヤ支柱の上端部には、天板が組付けられており、
前記ケース体の開口端面と当該ケース体の上側に配置された前記天板の下端面との上下方向の位置が一致している請求項１〜請求項７の何れか１項に記載の収納ケース。
【請求項９】
複数の前記骨格フレームが、上下に積み上げられた状態に組付けられており、
前記ケース体の開口端面と当該ケース体の上側に配置された前記骨格フレームの下端面との上下方向の位置が一致している請求項１〜請求項８の何れか１項に記載の収納ケース。
【発明の詳細な説明】
【技術分野】
【０００１】
本発明は、収納ケースに関する。
【背景技術】
【０００２】
下記特許文献１に記載の収納ケースは、複数段に積上げられたフレームと、各フレーム内にスライド可能に収容された抽斗（ケース体）と、を含んで構成されている。また、フレームは、外枠と、外枠の４隅の角部から上側へ突出された４本の支柱と、を含んで構成されており、外枠と支柱とが、一体に形成されている。
【０００３】
このため、収納ケースを組立てるときには、外枠と支柱とを組付ける必要がなくなるため、収納ケースの組立性を向上することができる。
【先行技術文献】
【特許文献】
【０００４】
【特許文献１】実用新案登録第３０２８５３７号
【発明の概要】
【発明が解決しようとする課題】
【０００５】
しかしながら、上記収納ケースでは、収納ケースの分解状態において、フレームが、フレーム同士を上下に積重ねるネスティング可能に構成されていない。これにより、例えば、収納ケースの梱包形態が比較的大型化となる。このため、上記収納ケースでは、収納ケースの輸送効率を向上させるという点において、改善の余地がある。
【０００６】
本発明は、上記事実を考慮して、組立性を向上しつつ、梱包形態の省スペース化を図ることができる収納ケースを提供することを目的とする。
【課題を解決するための手段】
【０００７】
本発明の１又はそれ以上の実施形態は、骨格フレームと、上側へ開放された箱状に形成されると共に、前後方向にスライド可能に前記骨格フレームに収容されたケース体と、を備え、前記骨格フレームは、前記ケース体が載置される底フレームと、前記底フレームに一体に形成され、前記底フレームの後端部における幅方向両端部から上側へ突出された一対のリヤ支柱と、前記底フレームに一体に形成され、前記底フレームの前端側部分における幅方向両端部から上側へ突出された一対のフロント支柱と、を含んで構成されており、前記底フレームの幅方向両側部には、前記フロント支柱と前記リヤ支柱との間において、前記底フレームの幅方向の最外形よりも幅方向内側へ窪んだ一対の抉り部が形成されており、前記骨格フレームのネスティング時に、下側の前記骨格フレームの前記フロント支柱が、上側の前記骨格フレームにおける前記抉り部の内部に配置される収納ケースである。
【０００８】
本発明の１又はそれ以上の実施形態は、前記抉り部は、前記底フレームの幅方向両側部における前記フロント支柱と前記リヤ支柱との間の部位の全体に亘って前後方向に延在され、前記抉り部の底面は、平面視で、前記底フレームの幅方向外側へ凸となる湾曲面として構成されており、前記骨格フレームのネスティング時に、下側の前記骨格フレームの前記フロント支柱が、上側の前記骨格フレームにおける前記抉り部の前端部の内部に配置されると共に、上側の前記骨格フレームの前記湾曲面が、下側の前記骨格フレームにおける前記フロント支柱の後側の角部に当接する収納ケースである。
【０００９】
本発明の１又はそれ以上の実施形態は、前記底フレームは、矩形枠状に形成され、前記底フレームの外周縁部には、下側へ屈曲され且つ前記抉り部を構成する外周リブが形成され、前記底フレームの幅方向両側の外周部には、前後方向に延在された一対の第１補強部が形成されており、前記第１補強部が、前記底フレームの上側へ隆起され且つ下側へ開放された溝状に形成されている収納ケースである。
【００１０】
本発明の１又はそれ以上の実施形態は、前記第１補強部の前端部が、前側へ向かうに従い前記骨格フレームの幅方向外側へ傾斜されて前記フロント支柱に接続されており、前記第１補強部の後端部が、前記骨格フレームの幅方向外側へ屈曲されて前記リヤ支柱に接続されている収納ケースである。
【００１１】
本発明の１又はそれ以上の実施形態は、前記第１補強部の内部には、前記第１補強部と前記抉り部を構成する前記外周リブとを連結する補強リブが形成されている収納ケースである。
【００１２】
本発明の１又はそれ以上の実施形態は、前記底フレームには、前記第１補強部に対して前記骨格フレームの幅方向内側において、前後方向に延在された第２補強部が形成されており、前記第２補強部は、前記底フレームの下側へ隆起され且つ上側へ開放された溝状に形成されると共に、前記第１補強部と連続して形成されている収納ケースである。
【００１３】
本発明の１又はそれ以上の実施形態は、前記底フレームの後側の外周部には、左右方向に延在され且つ一対の前記リヤ支柱を連結する第３補強部が形成され、前記第３補強部が、前記底フレームの上側へ隆起され且つ下側へ開放された溝状に形成されており、前記骨格フレームには、前記第１補強部と前記第３補強部とを連結する連結リブが形成されている収納ケースである。
【００１４】
本発明の１又はそれ以上の実施形態は、前記フロント支柱の上端部及び前記リヤ支柱の上端部には、天板が組付けられており、前記ケース体の開口端面と当該ケース体の上側に配置された前記天板の下端面との上下方向の位置が一致している収納ケースである。
【００１５】
本発明の１又はそれ以上の実施形態は、複数の前記骨格フレームが、上下に積み上げられた状態に組付けられており、前記ケース体の開口端面と当該ケース体の上側に配置された前記骨格フレームの下端面との上下方向の位置が一致している収納ケースである。
【発明の効果】
【００１６】
本発明の１又はそれ以上の実施形態によれば、組立性を向上しつつ、梱包形態の省スペース化を図ることができる。
【図面の簡単な説明】
【００１７】
【図１】本実施の形態に係る収納ケースにおける骨格フレームのネスティング状態を示す右斜め上方から見た斜視図である。
【図２】本実施の形態に係る収納ケースを示す右斜め上方から見た斜視図である。
【図３】図２に示される骨格フレームの上側から見た平面図である。
【図４】図３に示される骨格フレームの右斜め上方から見た斜視図である。
【図５】図３に示される骨格フレームの左斜め下方から見た斜視図である。
【図６】（Ａ）は、図２に示されるケース体の上側から見た平面図であり、（Ｂ）は、（Ａ）のケース体の右側から見た側断面図（図６（Ａ）の６Ｂ−６Ｂ線断面図）である。
【図７】（Ａ）は、図６（Ａ）に示されるケース体の右斜め上方から見た斜視図であり、（Ｂ）は、（Ａ）のケース体の左斜め下方から見た斜視図である。
【図８】図２に示される天板の右斜め下方から見た斜視図である。
【図９】（Ａ）は、図２に示される骨格フレームのフロント支柱と天板との連結状態を示す前側から見た断面図（図２の９Ａ−９Ａ線断面図）であり、（Ｂ）は、図２に示される骨格フレームのフロント支柱同士の連結状態を示す前側から見た断面図（図２の９Ｂ−９Ｂ線断面図）である。
【図１０】図２に示される収納ケースの右側部を一部破断した状態で示す斜視図である。
【図１１】図１に示される骨格フレームのネスティング状態を示す上側から見た平面図である。
【図１２】（Ａ）は、図２に示される収納ケースの梱包形態を示す側面図であり、（Ｂ）は、４段の収納ケースの梱包形態を示す側面図である。
【図１３】（Ａ）は、５段の収納ケースの梱包形態を示す側面図であり、（Ｂ）は、６段の収納ケースの梱包形態を示す側面図である。
【発明を実施するための形態】
【００１８】
以下、図面を用いて、本実施の形態に係る収納ケース１０について説明する。なお、図面において適宜示される矢印ＵＰ，矢印ＦＲ，矢印ＲＨは、それぞれ収納ケース１０の上側、前側、右側（幅方向一方側）を示している。そして、以下の説明において、上下、前後、左右の方向を示して説明するときには、特に断りのない限り、収納ケース１０の上下方向、前後方向、左右方向を示すものとする。
【００１９】
（収納ケースの全体構成について）
図２に示されるように、収納ケース１０は、全体として略直方体状に形成されている。この収納ケース１０は、収納ケース１０の骨格を構成する複数（本実施の形態では、３個）の骨格フレーム２０と、複数（本実施の形態では、３個）のケース体７０と、収納ケース１０の上端部を構成する天板８０と、を含んで構成されている。
【００２０】
収納ケース１０では、複数の骨格フレーム２０同士が、上下に積上げられた状態に組付けられており、ケース体７０が、それぞれの骨格フレーム２０の内部に前後方向にスライド可能に収容されている。そして、天板８０が、最上段の骨格フレーム２０に組付けられて、最上段に配置されたケース体７０を上側から覆っている。
【００２１】
なお、本実施の形態では、収納ケース１０が、骨格フレーム２０を３段に積上げた構成になっているが、使用状況に応じて、骨格フレーム２０を２段以上に積上げた構成にしてもよいし、骨格フレーム２０を１段にした構成にしてもよい。以下、収納ケース１０の各構成について説明する。
【００２２】
（骨格フレームについて）
図３〜図５に示されるように、骨格フレーム２０は、樹脂材（本実施の形態では、ポリプロピレン（ＰＰ））によって構成されている。また、詳細については後述するが、収納ケース１０の組立前の状態（分解状態）では、骨格フレーム２０が、骨格フレーム２０同士を上下に積重ねる、ネスティング可能に構成されている。骨格フレーム２０は、骨格フレーム２０の底部を構成する「底フレーム」としての枠フレーム３０と、枠フレーム３０から上側へ延出された左右一対のフロント支柱５０及び左右一対のリヤ支柱６０と、を含んで構成されている。
【００２３】
枠フレーム３０は、上下方向を板厚方向とする板状に形成されると共に、上側から見た平面視で、左右方向を長手方向とする略矩形枠状に形成されている。これにより、枠フレーム３０は、左右方向に延在され且つ枠フレーム３０の前端部を構成するフロントフレーム部３０Ｆと、左右方向に延在され且つ枠フレーム３０の後端部を構成するリヤフレーム部３０Ｒと、前後方向に延在され且つフロントフレーム部３０Ｆ及びリヤフレーム部３０Ｒの長手方向両端部を連結する左右一対のサイドフレーム部３０Ｓと、を含んで構成されており、枠フレーム３０の内部には、孔部３０Ａが形成されている。また、枠フレーム３０の外周縁部には、下側へ屈曲された外周リブ３１が形成されており、枠フレーム３０の内周縁部には、下側へ屈曲された内周リブ３２が形成されている。外周リブ３１及び内周リブ３２は、枠フレーム３０の周方向に延在されている。そして、上下方向における外周リブ３１の下端と内周リブ３２の下端との位置が一致している。
【００２４】
ここで、枠フレーム３０の詳細について説明する前に、先にフロント支柱５０及びリヤ支柱６０について説明する。フロント支柱５０は、上下方向を軸方向とし且つ下側へ開放された略有底矩形筒状に形成されて、枠フレーム３０の前端側部分の幅方向（左右方向）両端部から上側へ延出されている。これにより、フロント支柱５０が、骨格フレーム２０の幅方向両側の最外形の一部を構成している。また、フロント支柱５０における、前側の角部の一方（詳しくは、枠フレーム３０の幅方向内側に配置された角部）には、支柱側傾斜面５０Ａが形成されている。支柱側傾斜面５０Ａは、平面視で、枠フレーム３０の幅方向内側へ向かうに従い後側へ傾斜している。
【００２５】
フロント支柱５０の上端部には、フロント嵌合部５１が形成されている。フロント嵌合部５１は、嵌合筒部５２を有しており、嵌合筒部５２は、上下方向を軸方向とする略矩形筒状に形成されて、フロント支柱５０の頂壁から上側へ突出されている。また、平面視における嵌合筒部５２の外形が、フロント支柱５０の外形よりも小さく設定されており、嵌合筒部５２の内部とフロント支柱５０の内部とが連通されている。
【００２６】
嵌合筒部５２における左右の側壁の一方（詳しくは、枠フレーム３０の幅方向内側に配置された側壁）には、切欠部５２Ａが形成されており、切欠部５２Ａは、左右方向から見て、上側へ開放された略半円状に形成されている。また、嵌合筒部５２における左右の側壁の一方には、切欠部５２Ａの前側において、係合フック５２Ｂが形成されており、係合フック５２Ｂは、当該側壁から、枠フレーム３０の幅方向内側へ突出している。
【００２７】
また、嵌合筒部５２の前側及び後側には、左右一対の嵌合リブ５３がそれぞれ形成されている。すなわち、フロント嵌合部５１には、４箇所の嵌合リブ５３が形成されている。嵌合リブ５３は、左右方向を板厚方向として、フロント支柱５０の頂壁から上側へ突出されると共に、嵌合筒部５２に接続されている。なお、嵌合筒部５２の前側に配置された一対の嵌合リブ５３の一方（詳しくは、枠フレーム３０の幅方向内側に配置された嵌合リブ５３）では、前面が、フロント支柱５０の支柱側傾斜面５０Ａに対応して傾斜している。さらに、嵌合リブ５３の上端部には、リブ傾斜面５３Ａが形成されており、リブ傾斜面５３Ａは、上側へ向かうに従い嵌合筒部５２側へ傾斜している。
【００２８】
フロント支柱５０の下端部における左右の側壁の一方（詳しくは、枠フレーム３０の幅方向内側に配置された側壁）には、矩形状の係合孔５０Ｂ（図５参照）が貫通形成されている。そして、骨格フレーム２０同士を上下に積上げた状態に組付けるときには、下側の骨格フレーム２０におけるフロント嵌合部５１が、上側の骨格フレーム２０におけるフロント支柱５０の下端部内に嵌入されると共に、上側の骨格フレーム２０におけるフロント支柱５０の下端が、下側の骨格フレーム２０におけるフロント支柱５０の頂壁に載置される構成になっている。また、このときには、下側の骨格フレーム２０の係合フック５２Ｂが、上側の骨格フレーム２０の係合孔５０Ｂに挿入されて、上下の骨格フレーム２０が上下方向に係合する構成になっている（図９（Ｂ）参照）。
【００２９】
リヤ支柱６０は、上下方向を軸方向とし且つ下側へ開放された略有底矩形筒状に形成されて、枠フレーム３０の後側の両角部から上側へ延出されている。これにより、リヤ支柱６０が、フロント支柱５０と共に、骨格フレーム２０の幅方向両側の最外形の一部を構成している。また、リヤ支柱６０は、フロント支柱５０の支柱側傾斜面５０Ａを除いて、フロント支柱５０と同様に構成されている。すなわち、リヤ支柱６０の外形が略矩形状に形成されており、フロント支柱５０及びリヤ支柱６０の前後方向及び左右方向（厚み方向）の寸法が、一致している。また、前後方向に並ぶリヤ支柱６０及びフロント支柱５０の左右方向の位置が一致している。
【００３０】
リヤ支柱６０の上端部には、リヤ嵌合部６１が形成されており、リヤ嵌合部６１は、フロント嵌合部５１と同様に構成されている。すなわち、リヤ嵌合部６１は、リヤ支柱６０の頂壁から上側へ突出された略矩形筒状の嵌合筒部６２を有している。また、嵌合筒部６２の左右の側壁の一方には、上側へ開放された略半円状の切欠部６２Ａが形成されている。さらに、嵌合筒部６２の左右の側壁の一方には、切欠部６２Ａの前側において、枠フレーム３０の幅方向内側へ突出された係合フック６２Ｂが形成されている。さらに、嵌合筒部６２の前側及び後側には、左右一対の嵌合リブ６３がそれぞれ形成されており、嵌合リブ６３の上端部には、リブ傾斜面６３Ａが形成されている。
【００３１】
さらに、リヤ支柱６０の下端部における左右の側壁の一方には、フロント支柱５０と同様に、矩形状の係合孔６０Ｂ（図５参照）が貫通形成されている。そして、骨格フレーム２０同士を上下に積上げた状態に組付けるときには、下側の骨格フレーム２０のリヤ嵌合部６１が、上側の骨格フレーム２０におけるリヤ支柱６０の下端部内に嵌入されると共に、上側の骨格フレーム２０におけるリヤ支柱６０の下端が、下側の骨格フレーム２０におけるリヤ支柱６０の頂壁に載置される構成になっている。また、このときには、下側の骨格フレーム２０の係合フック６２Ｂが、上側の骨格フレーム２０の係合孔６０Ｂに挿入されて、上下の骨格フレーム２０が上下方向に係合する構成になっている。
【００３２】
枠フレーム３０の説明に戻って、枠フレーム３０の幅方向両側の側部（すなわち、サイドフレーム部３０Ｓの外周リブ３１）には、フロント支柱５０とリヤ支柱６０との間の位置において、抉り部３３が形成されている。抉り部３３は、枠フレーム３０の幅方向外側へ開放され且つ前後方向に延在された凹状に形成されると共に、枠フレーム３０の幅方向の最外形よりも幅方向内側へ窪んで（凹んで）いる。つまり、抉り部３３を構成する外周リブ３１が、枠フレーム３０の幅方向外側へ開放された凹状に屈曲形成されている。また、抉り部３３の前側の開口端が、フロント支柱５０の後面に接続され、抉り部３３の後側の開口端が、リヤ支柱６０の前面に接続されている。これにより、抉り部３３が、枠フレーム３０の幅方向両側部におけるフロント支柱５０とリヤ支柱６０との間の部位の全体に亘って前後方向に延在されている。
【００３３】
抉り部３３の底面（すなわち、枠フレーム３０の幅方向両側の側面を構成する面）は、湾曲面３３Ａとして構成されており、湾曲面３３Ａは、平面視で、枠フレーム３０の幅方向外側へ緩やかな凸となる円弧状に湾曲している。具体的には、湾曲面３３Ａの前後方向中央部が、湾曲面３３Ａの頂部となるように、湾曲面３３Ａが緩やかに湾曲している。湾曲面３３Ａの前後方向それぞれの端には後述する前側傾斜面３３Ｂおよび後側傾斜面３３Ｃが連結されるが、前側傾斜面３３Ｂ及び後側傾斜面３３Ｃを含まない湾曲面３３Ａの端をそれぞれ基準にした時に３３Ａの頂部が１ｍｍ〜５ｍｍ、好ましくは１．５ｍｍ〜２ｍｍの範囲で外側に湾曲する。また、湾曲面３３Ａは、骨格フレーム２０の幅方向両側の最外形に対して、フロント支柱５０及びリヤ支柱６０の厚み寸法と略同じ量分だけ、枠フレーム３０の幅方向内側へオフセットした位置に配置されている。換言すると、フロント支柱５０及びリヤ支柱６０が、湾曲面３３Ａに対して、フロント支柱５０及びリヤ支柱６０の厚み寸法と略同じ量分だけ、枠フレーム３０の幅方向外側へオフセットしている。
【００３４】
そして、詳細については後述するが、骨格フレーム２０をネスティングした状態では、下側の骨格フレーム２０におけるフロント支柱５０の下端側の部分が、上側の骨格フレーム２０の抉り部３３の前端部内に配置されて、湾曲面３３Ａに対して骨格フレーム２０の幅方向外側に隣接して配置される構成になっている（図１及び図１１参照）。さらに、この状態では、下側の骨格フレーム２０におけるフロント支柱５０の後側の角部５０Ｃ（詳しくは、枠フレーム３０の幅方向内側に配置された後側の角部）が、上側の骨格フレーム２０の湾曲面３３Ａに当接する構成になっている（図１１参照）。すなわち、上側の骨格フレーム２０における湾曲面３３Ａの頂部が、下側の骨格フレーム２０のフロント支柱５０よりも後側に配置される構成になっている。
【００３５】
抉り部３３の前端側の面は、前側傾斜面３３Ｂとして構成されており、前側傾斜面３３Ｂは、湾曲面３３Ａの前端から前側へ延出されて、フロント支柱５０の後面に接続されている。また、前側傾斜面３３Ｂは、平面視で、前側へ向かうに従い枠フレーム３０の幅方向外側へ傾斜している。さらに、左右方向に対する前側傾斜面３３Ｂの傾斜角度が、左右方向に対するフロント支柱５０の支柱側傾斜面５０Ａの傾斜角度と一致する設定になっている。そして、骨格フレーム２０のネスティング時には、下側の骨格フレーム２０におけるフロント支柱５０の支柱側傾斜面５０Ａが、上側の骨格フレーム２０における抉り部３３の前側傾斜面３３Ｂに当接する構成になっている（図１１参照）。
【００３６】
抉り部３３の後端側の面は、後側傾斜面３３Ｃとして構成されており、後側傾斜面３３Ｃは、湾曲面３３Ａの後端から後側へ延出されて、リヤ支柱６０の前面に接続されている。また、後側傾斜面３３Ｃは、平面視で、後側へ向かうに従い骨格フレーム２０の幅方向外側へ傾斜している。
【００３７】
図１０にも示されるように、枠フレーム３０のサイドフレーム部３０Ｓには、外周部において、前後方向に延在された第１補強部３４が形成されている。第１補強部３４は、枠フレーム３０に対して上側へ隆起されると共に、第１補強部３４の長手方向から見て、下側へ開放された略逆Ｕ字形溝状に形成されている。この第１補強部３４は、抉り部３３を構成する外周リブ３１と連続して形成されている。具体的には、第１補強部３４は、抉り部３３を構成する外周リブ３１の上端部から上側へ延出された外側補強壁３４Ａと、外側補強壁３４Ａの上端部から枠フレーム３０の幅方向内側へ延出された頂壁３４Ｂと、頂壁３４Ｂにおける枠フレーム３０の幅方向内側端部から下側へ延出された内側補強壁３４Ｃと、を含んで構成されている。
【００３８】
また、第１補強部３４の外側補強壁３４Ａは、上側へ向かうに従い枠フレーム３０の幅方向内側へ若干傾斜している。さらに、外側補強壁３４Ａは、抉り部３３の形状に対応して、平面視で枠フレーム３０の幅方向外側へ開放された凹状に形成されている。すなわち、外側補強壁３４Ａの前端部及び後端部が、抉り部３３の前側傾斜面３３Ｂ及び後側傾斜面３３Ｃに対応して傾斜している。
【００３９】
第１補強部３４の前端部は、平面視で、前側へ向かうに従い枠フレーム３０の幅方向外側へ傾斜して、フロント支柱５０の後端部に接続されている。また、第１補強部３４の後端部は、平面視で、骨格フレーム２０の幅方向外側へ屈曲して、リヤ支柱６０の前端部に接続されている。
【００４０】
サイドフレーム部３０Ｓには、第１補強部３４に対して枠フレーム３０の幅方向内側に隣接した位置において、前後方向に延在された第２補強部３５が形成されている。第２補強部３５は、枠フレーム３０に対して下側へ隆起されると共に、第２補強部３５の長手方向から見て、上側へ開放された略Ｕ字形溝状に形成されている。そして、前後方向から見た断面視で、サイドフレーム部３０Ｓの外周側の部分が、凹凸状に形成されるように、第２補強部３５が、第１補強部３４（の内側補強壁３４Ｃ）と連続して形成されている。
【００４１】
なお、第２補強部３５の前端部は、平面視で、前側へ向かうに従い枠フレーム３０の幅方向外側へ傾斜されて、フロント支柱５０の下端部に接続されている。また、第２補強部３５の後端部における前後方向の位置が、第１補強部３４の後端部における前後方向の位置と一致するように設定されている。
【００４２】
また、枠フレーム３０の裏面には、一対の第１補強部３４の内部において、複数（本実施の形態では、６箇所）の補強リブ３６が、それぞれ形成されている。補強リブ３６は、前後方向を板厚方向とした略三角形板状に形成されて、前後方向に所定の間隔を空けて配置されている。この補強リブ３６は、第１補強部３４の頂壁３４Ｂから下側へ延出して、頂壁３４Ｂと、第１補強部３４の外側補強壁３４Ａ及び湾曲面３３Ａを構成する外周リブ３１と、を連結している（図１０参照）。
【００４３】
枠フレーム３０におけるリヤフレーム部３０Ｒには、外周部において、左右方向に延在された第３補強部３７が形成されている。第３補強部３７は、枠フレーム３０に対して上側へ隆起されると共に、第３補強部３７の長手方向から見て、下側へ開放された略逆Ｕ形溝状に形成されている。そして、枠フレーム３０の後側の外周リブ３１が、上側へ延出されて、第３補強部３７の後壁を構成している。また、第３補強部３７の長手方向両端部は、左右一対のリヤ支柱６０の後端部に接続されており、左右一対のリヤ支柱６０が第３補強部３７によって連結されている。
【００４４】
さらに、枠フレーム３０の上面には、第１補強部３４と第３補強部３７との間の位置において、前後方向に延在された左右一対の連結リブ３８が形成されている。連結リブ３８は、左右方向を板厚方向とした略矩形板状に形成されて、第１補強部３４の内側補強壁３４Ｃの後端部から後側へ延出されている。そして、第１補強部３４（内側補強壁３４Ｃ）の後端部と第３補強部３７の長手方向両端部とが、連結リブ３８によって連結されている。これにより、枠フレーム３０の幅方向両側部には、第１補強部３４（内側補強壁３４Ｃ）と連結リブ３８とによって構成された補強用のリブが、前後方向に沿って直線状に形成されて、第３補強部３７に接続されている。
【００４５】
また、枠フレーム３０の裏面には、リヤ支柱６０の下端部から枠フレーム３０の幅方向内側へ延出された左右一対のサイドリブ３９Ｒ（図５参照）が形成されている。サイドリブ３９Ｒは、前後方向を板厚方向とする略矩形板状に形成されており、サイドリブ３９Ｒの先端部が、枠フレーム３０における後側の内周リブ３２に接続されている。これにより、枠フレーム３０の後端部には、サイドリブ３９Ｒと後側の内周リブ３２によって構成された補強用のリブが、左右方向に沿って直線状に形成されて、左右一対のリヤ支柱６０を連結している。
【００４６】
枠フレーム３０におけるフロントフレーム部３０Ｆの上面には、孔部３０Ａの前側において、複数（本実施の形態では、３箇所）の第１摺動突起４０が形成されており、第１摺動突起４０は、左右方向に所定の間隔を空けて並んで配置されている。第１摺動突起４０は、左右方向から見て、略三角形状に形成されて、左右方向に延在されている。また、第１摺動突起４０の頂部は、上側へ凸となる略円弧状に湾曲されている。
【００４７】
枠フレーム３０におけるサイドフレーム部３０Ｓの上面には、第１摺動突起４０に対して枠フレーム３０の幅方向外側において、左右一対の第２摺動突起４１をさらに形成してもよい。第２摺動突起４１を設ける場合には、左右方向から見て、略半円状に形成されて、左右方向に延在されている。
【００４８】
（ケース体について）
図２、図６、及び図７に示されるように、ケース体７０は、樹脂材（本実施の形態では、ポリプロピレン（ＰＰ））によって構成されている。ケース体７０は、上側へ開放された略矩形箱状に形成されている。具体的には、ケース体７０は、上下方向を板厚方向とし且つ左右方向を長手方向とする略矩形板状の底壁７０Ａと、底壁７０Ａの幅方向（左右方向）両端部から上側へ延出された左右一対の側壁７０Ｂと、底壁７０Ａの後端部から上側へ延出された後壁７０Ｃと、底壁７０Ａの前端部から上側へ延出された前壁７０Ｄと、を含んで構成されている。
【００４９】
また、側壁７０Ｂの前端部には、ケース体７０の幅方向外側へ張出された左右一対の張出部７１が形成されている。すなわち、側壁７０Ｂの前端部には、ケース体７０の幅方向外側へ屈曲された第１張出壁部７１Ａと、第１張出壁部７１Ａの先端部から前側へ延出され且つ前壁７０Ｄの幅方向両端部に接続された第２張出壁部７１Ｂと、が形成されている。ケース体７０の張出部７１を除く左右方向の寸法は、左右方向における骨格フレーム２０の一対の第１補強部３４間の距離よりも若干小さく設定されている。そして、ケース体７０が、骨格フレーム２０に前後方向にスライド可能に収容されている。具体的には、ケース体７０が、骨格フレーム２０に収容された収容位置（図２において実線にて示される位置）と、収容位置から前側へ引き出された引出位置（図２の最下段のケース体７０において２点鎖線にて示される位置）と、の間をスライドする構成になっている。
【００５０】
なお、ケース体７０の収容位置では、ケース体７０の張出部７１が骨格フレーム２０のフロント支柱５０の前側に隣接配置されて、収容位置におけるケース体７０の後側への移動が制限される構成になっている。また、ケース体７０の収容位置では、骨格フレーム２０の第１補強部３４が、ケース体７０における側壁７０Ｂの下端部の幅方向外側に隣接して配置されている。これにより、ケース体７０が収容位置と引出位置との間をスライドするときに、第１補強部３４がケース体７０をガイドするようになっている。
【００５１】
また、ケース体７０の骨格フレーム２０への収容状態では、ケース体７０の開口端面（上端面）と、ケース体７０の上側に配置された骨格フレーム２０（の外周リブ３１）の下端面との上下位置が一致するように、ケース体７０の高さ寸法が設定されている（図１０参照）。
【００５２】
さらに、収納ケース１０の分解状態では、ケース体７０が、ケース体７０同士を上下に積重ねる、ネスティング可能に構成されている。すなわち、ケース体７０の側壁７０Ｂ、後壁７０Ｃ、及び前壁７０Ｄが、下側へ向かうに従いケース体７０の内部側へ傾斜している。また、上下方向に対する側壁７０Ｂの傾斜角度が、上下方向に対する第２張出壁部７１Ｂの傾斜角度よりも大きく設定されている。このため、ケース体７０が骨格フレーム２０に収容された状態では、正面視で、ケース体７０の側面（第２張出壁部７１Ｂの側面）が、略上下方向に沿って配置されるようになっている。また、上下方向に対する前壁７０Ｄの傾斜角度は、上下方向に対する後壁７０Ｃより小さく設定されている。これにより、ケース体７０同士のネスティングを可能にしつつ、ケース体７０が骨格フレーム２０に収容された状態における、正面視での収納ケース１０の意匠性を向上できる構成になっている。
【００５３】
ケース体７０の底壁７０Ａには、上側へ隆起された絞り部７２が形成されており、絞り部７２は、平面視で、左右方向を長手方向とする略矩形状に形成されている。また、底壁７０Ａの下面には、絞り部７２が形成された部位において、複数（本実施の形態では、３本）の第１摺動リブ７３が形成されている。第１摺動リブ７３は、前後方向に延在されると共に、骨格フレーム２０の第１摺動突起４０に対応した位置に配置されている。また、第１摺動リブ７３の下端部が、底壁７０Ａの下面よりも下側へ若干突出している。そして、ケース体７０が、前後方向にスライドするときには、第１摺動リブ７３の下端部が、骨格フレーム２０の第１摺動突起４０上を摺動する構成になっている。
【００５４】
また、底壁７０Ａの下面には、絞り部７２に対してケース体７０の幅方向外側において、左右一対の第２摺動リブ７４が形成されている。第２摺動リブ７４は、前後方向に延在されると共に、骨格フレーム２０の第２摺動突起４１に対応した位置に配置されている。第２摺動リブ７４の後端部は、第２摺動リブ７４の他の部分よりも下側へ若干突出されており、第２摺動リブ７４の後端部の下端部が、左右方向から見て、下側へ凸となる略円弧状に形成されている。そして、ケース体７０の収容位置では、第２摺動リブ７４の前端部が骨格フレーム２０の第２摺動突起４１上に載置されると共に、第２摺動リブ７４の後端部が骨格フレーム２０における枠フレーム３０（サイドフレーム部３０Ｓ）の上面に載置されている。そして、ケース体７０が、前後方向にスライドするときには、第２摺動リブ７４の下端部が、骨格フレーム２０の第２摺動突起４１上を摺動する構成になっている。
【００５５】
また、ケース体７０の底壁７０Ａの後端部には、左右一対のストッパ７５が形成されている。ストッパ７５は、底壁７０Ａから下側へ突出されると共に、骨格フレーム２０の孔部３０Ａ内に配置されている。ストッパ７５は、下側から見た下面視で、後側へ開放された略Ｕ字形板状に形成されている。そして、ケース体７０が引出位置に引出されたときには、ストッパ７５の前面が、骨格フレーム２０の孔部３０Ａにおける前側の内周リブ３２に当接するようになっている。これにより、引出位置におけるケース体７０の前側への移動が制限される構成になっている。
【００５６】
ケース体７０の後壁７０Ｃにおける上端部には、幅方向両端部において、左右一対の脚片７６が形成されている。脚片７６は、左右方向を板厚方向とし且つ上下方向に延在された略矩形板状に形成されて、後壁７０Ｃから後側へ突出されている。そして、ケース体７０同士をネスティングした状態では、上側のケース体７０の脚片７６の下端が、下側のケース体７０の開口端面に載置される構成になっている。
【００５７】
ケース体７０の側壁７０Ｂにおける第１張出壁部７１Ａの下端部には、台座部７７が形成されている。台座部７７は、底壁７０Ａから上側へ延出されると共に、後側且つ下側へ開放された凹状に形成されている。台座部７７の内部には、台座リブ７７Ａが形成されており、台座リブ７７Ａは、左右方向を板厚方向とした板状に形成されて、上下方向に延在されている。そして、ケース体７０同士をネスティングした状態では、上側のケース体７０の台座部７７（台座リブ７７Ａ）の下端が、台座部７７の上端面に載置される構成になっている。
【００５８】
ケース体７０の前壁７０Ｄには、前壁７０Ｄの幅方向両端部を除く部分において、後側へ隆起された凹部７８が形成されており、凹部７８は、前側且つ下側へ開放されている。また、前壁７０Ｄには、凹部７８における上端部の前側において、下側へ張出された取手片７９が形成されている。取手片７９は、前後方向を板厚方向し且つ左右方向に延在された略長尺板状に形成されて、凹部７８の上端部に対して前側に離間して配置されている。これにより、取手片７９と凹部７８の上端部との間には、空間が形成されている。そして、使用者が取手片７９を把持して、ケース体７０を前後にスライドするように構成されている。
【００５９】
（天板について）
図２及び図８に示されるように、天板８０は、上下方向を板厚方向とし左右方向を長手方向とする略矩形板状に形成されている。また、天板８０の外周縁部には、下側へ屈曲された外周壁８１が形成されており、外周壁８１は、天板８０の周方向全周に亘って形成されている。天板８０の下面には、幅方向（左右方向）両端部において、前後方向に延在された、左右一対の第１リブ８２が形成されている。第１リブ８２は、左右方向を板厚方向とした長尺板状に形成されており、第１リブ８２の長手方向両端部が外周壁８１に接続されている。また、天板８０の下面には、左右方向に延在された、３箇所の第２リブ８３が形成されている。第２リブ８３は、前後方向を板厚方向とした長尺板状に形成されており、第２リブ８３の長手方向両端部が外周壁８１に接続されている。
【００６０】
また、１箇所の第２リブ８３は、天板８０の後端部に配置されている。これにより、天板８０の後側の角部には、外周壁８１、第１リブ８２、及び第２リブ８３によって構成された、リヤ側嵌合部８４が形成されており、リヤ側嵌合部８４は、略矩形筒状に形成されている。このリヤ側嵌合部８４は、骨格フレーム２０のリヤ嵌合部６１に対応して形成されており、リヤ嵌合部６１がリヤ側嵌合部８４の内部に嵌入されることで、天板８０が最上段の骨格フレーム２０に組付けられるようになっている。なお、リヤ側嵌合部８４における第１リブ８２には、骨格フレーム２０の係合フック５２Ｂが挿入される係合孔８５が貫通形成されている。
【００６１】
また、２箇所の第２リブ８３は、天板８０の前端側の部分において、前後方向に離間して配置されている。これにより、天板８０の前端側部分における幅方向両端部には、外周壁８１、第１リブ８２、及び２箇所の第２リブ８３によって構成された、フロント側嵌合部８６が形成されており、フロント側嵌合部８６は、略矩形筒状に形成されている。このフロント側嵌合部８６は、骨格フレーム２０のフロント嵌合部５１に対応して形成されており、フロント嵌合部５１がフロント側嵌合部８６の内部に嵌入されることで、天板８０が最上段の骨格フレーム２０に組付けられるようになっている（図９（Ａ）参照）。なお、フロント側嵌合部８６における第１リブ８２には、骨格フレーム２０の係合フック５２Ｂが挿入される係合孔８７が貫通形成されている。
【００６２】
また、天板８０が最上段の骨格フレーム２０に組付けられた状態では、天板８０の下端面（外周壁８１、第１リブ８２、及び第２リブ８３の下端面）と、最上段に配置されたケース体７０の開口端面（上端面）と、の上下位置が一致するように、外周壁８１、第１リブ８２、及び第２リブ８３の天板８０からの延出長さが設定されている。すなわち、天板８０の外周壁８１の下端面と、最上段に配置されたケース体７０の開口端面と、が面一に配置されている（図１０参照）。
【００６３】
（作用効果）
次に、収納ケース１０の分解状態において、骨格フレーム２０をネスティングするときの手順、及び収納ケース１０の梱包形態について説明しつつ、本実施の形態の作用及び効果について説明する。
【００６４】
（骨格フレームのネスティングについて）
複数の骨格フレーム２０をネスティングするときには、一方の骨格フレーム２０の上側に、他方の骨格フレーム２０を配置する。このとき、上側の骨格フレーム２０を下側の骨格フレーム２０に対して、フロント支柱５０（リヤ支柱６０）の前後方向の寸法分だけ、前側にずらして配置する。これにより、平面視で、下側の骨格フレーム２０のフロント支柱５０が、上側の骨格フレーム２０の抉り部３３の前端部に重なるように配置される。この状態で、上側の骨格フレーム２０を下側へ移動させて、下側の骨格フレーム２０のフロント支柱５０の上端部を、上側の骨格フレーム２０の抉り部３３の前端部内に挿入させる。そして、上側の骨格フレーム２０を下側へさらに移動させて、上側の骨格フレーム２０の抉り部３３（外周リブ３１）の下端を、下側の骨格フレーム２０の第１補強部３４の頂壁３４Ｂに載置させる。これにより、図１及び図１１に示されるように、骨格フレーム２０のネスティングが完了する。
【００６５】
また、骨格フレーム２０がネスティングされた状態では、上側の骨格フレーム２０のフロント支柱５０が、下側の骨格フレーム２０におけるフロント支柱５０の前側に隣接して配置される。さらに、この状態では、上側の骨格フレーム２０の湾曲面３３Ａが、下側の骨格フレーム２０のフロント支柱５０の後側の角部５０Ｃ（詳しくは、フロント支柱５０の側面と角部５０Ｃとの境界部）に当接する。
【００６６】
（収納ケースの梱包形態について）
次に、輸送時等における収納ケース１０の梱包形態について説明する。なお、本実施の形態では、収納ケース１０が、骨格フレーム２０を３段に積上げた形態であるが、骨格フレーム２０を４段、５段、及び６段に積み上げた形態の収納ケース１０の梱包形態についても、併せて説明する。
【００６７】
図１２（Ａ）に示されるように、３段の収納ケース１０の梱包状態では、前述した手順によって、３個の骨格フレーム２０を上下に積重ねてネスティングする。また、３個のケース体７０を上下に積重ねてネスティングする。そして、３段にネスティングされたケース体７０を、ネスティングされた最上段の骨格フレーム２０内に収容する。さらに、ネスティングされた最上段のケース体７０の開口端面上に、天板８０を載置する。以上により、３段の収納ケース１０の梱包形態が、図１２（Ａ）に示される形態になる。
【００６８】
図１２（Ｂ）に示されるように、４段の収納ケース１０の梱包状態では、前述した手順によって、２個の骨格フレーム２０を上下に積重ねてネスティングする。また、４個のケース体７０を上下に積重ねてネスティングする。そして、４段にネスティングされたケース体７０を、ネスティングされた最上段の骨格フレーム２０内に収容する。
【００６９】
この状態で、残りの骨格フレーム２０のうちの１個を、上下に反転させて、最上段のケース体７０に載置させる。具体的には、骨格フレーム２０の内部に、ネスティングされたケース体７０を挿入させつつ、骨格フレーム２０の第１補強部３４の頂壁３４Ｂを、最上段のケース体７０の開口端面に載置させる。また、この状態では、ケース体７０に載置された骨格フレーム２０のフロント支柱５０を、最下段に配置された骨格フレーム２０のフロント支柱５０に対して後側へ近接した位置に配置させるように、骨格フレーム２０をケース体７０に載置させる。
【００７０】
そして、残りの骨格フレーム２０を、上下に反転させて、ケース体７０に載置された骨格フレーム２０にネスティングする。具体的には、残りの骨格フレーム２０を、ケース体７０に載置された骨格フレーム２０に対して、フロント支柱５０の前後方向の寸法分だけ後側へずらしてネスティングする。さらに、ネスティングされた最上段の骨格フレーム２０に天板８０を載置させる。以上により、４段の収納ケース１０の梱包形態が、図１２（Ｂ）に示される形態になる。
【００７１】
つまり、４段の収納ケース１０の梱包形態では、２段にネスティングされた骨格フレーム２０、４段にネスティングされたケース体７０、上下に反転された状態で２段にネスティングされた骨格フレーム２０、及び天板８０が、下からこの順番で積重ねられている。
【００７２】
図１３（Ａ）に示されるように、５段の収納ケース１０の梱包状態では、４段の収納ケース１０の梱包状態と同様の手順によって行われるが、５段にネスティングされたケース体７０を載置するための下側の骨格フレーム２０のネスティングの段数が３段になっている。すなわち、５段の収納ケース１０の梱包形態では、３段にネスティングされた骨格フレーム２０、５段にネスティングされたケース体７０、上下に反転された状態で２段にネスティングされた骨格フレーム２０、及び天板８０が、下からこの順番で積重ねられている。
【００７３】
図１３（Ｂ）に示されるように、６段の収納ケース１０の梱包状態では、５段の収納ケース１０の梱包状態と同様に手順によって行われるが、６段にネスティングされたケース体７０に載置される上側の骨格フレーム２０のネスティングの段数が３段になっている。すなわち、６段の収納ケース１０の梱包形態では、３段にネスティングされた骨格フレーム２０、６段にネスティングされたケース体７０、上下に反転された状態で３段にネスティングされた骨格フレーム２０、及び天板８０が、下からこの順番で積重ねられている。
【００７４】
以上により、収納ケース１０では、４段以上の梱包状態において、骨格フレーム２０を２組のネスティング状態に分割して、分割されたネスティング状態の骨格フレーム２０によって、ネスティングされたケース体７０を上下に挟み込む形態になっている。このため、骨格フレーム２０を２組のネスティング状態に分割しない梱包形態と比べて、収納ケース１０における前後方向の梱包スペースが拡大することを抑制できるようになっている。
【００７５】
ここで、収納ケース１０の骨格フレーム２０では、骨格フレーム２０の底部を構成する枠フレーム３０と、フロント支柱５０及びリヤ支柱６０と、が一体に形成されている。このため、収納ケース１０の組立時には、枠フレーム３０と、フロント支柱５０及びリヤ支柱６０と、を組付ける必要がなくなる。これにより、骨格フレーム２０において、枠フレーム３０と、フロント支柱５０及びリヤ支柱６０と、を別体で構成した場合と比べて、収納ケース１０の組立性を向上することができる。
【００７６】
また、枠フレーム３０の幅方向両側部には、枠フレーム３０の幅方向の最外形よりも幅方向内側へ窪んだ抉り部３３が形成されており、抉り部３３は、枠フレーム３０の幅方向外側へ開放された凹状に形成されている。そして、骨格フレーム２０のネスティング時には、下側の骨格フレーム２０のフロント支柱５０が、上側の骨格フレーム２０における抉り部３３の内部に配置される。これにより、枠フレーム３０にリヤ支柱６０及びフロント支柱５０を一体に形成した骨格フレーム２０であっても、骨格フレーム２０を上下に積重ねた状態にネスティングすることができる。したがって、収納ケース１０の梱包形態の省スペース化を図ることができると共に、ひいては収納ケース１０の郵送効率を向上することができる。
【００７７】
また、抉り部３３が、枠フレーム３０の幅方向両側部におけるフロント支柱５０とリヤ支柱６０との間の部位の全体に亘って前後方向に延在されている。さらに、抉り部３３の底面は、湾曲面３３Ａとして構成されており、湾曲面３３Ａが、平面視で、枠フレーム３０の幅方向外側へ緩やかな凸となる円弧状に湾曲している。そして、骨格フレーム２０のネスティング状態では、下側の骨格フレーム２０のフロント支柱５０が、上側の骨格フレーム２０における抉り部３３の前端部の内部に配置されると共に、上側の骨格フレーム２０の湾曲面３３Ａが、下側の骨格フレーム２０におけるフロント支柱５０の後側の角部５０Ｃに当接する。これにより、収納ケース１０の意匠性を向上しつつ、ネスティング状態において、上側の骨格フレーム２０が下側の骨格フレーム２０に対して前側へずれることを抑制できる。
【００７８】
すなわち、ネスティング状態において、上側の骨格フレーム２０における下側の骨格フレーム２０に対する前側へのずれを抑制するという観点からすると、例えば、骨格フレーム２０の抉り部３３の前後方向の寸法を、フロント支柱５０の前後方向の寸法よりも若干大きくした構成（以下、この構成を「比較例１」と称する）にすることが考えられる。この場合には、下側の骨格フレーム２０のフロント支柱５０が、上側の骨格フレーム２０の抉り部３３に嵌まり込み、フロント支柱５０と抉り部３３とが前後に係合するようになる。これにより、上側の骨格フレーム２０が下側の骨格フレーム２０に対して前側へずれることを抑制できる。しかしながら、比較例１の構成では、骨格フレーム２０の幅方向外側へ開放された抉り部３３が、骨格フレーム２０の幅方向両側部において局部的に形成される。このため、比較例１では、骨格フレーム２０の意匠性、ひいては収納ケース１０の意匠性が低下する可能性がある。
【００７９】
一方、例えば、抉り部３３の底面を、平面視で前後方向に沿った直線状に形成した構成（以下、この構成を「比較例２」と称する）では、骨格フレーム２０のネスティング状態において、上側の骨格フレーム２０の抉り部３３が、下側の骨格フレーム２０のフロント支柱５０の角部５０Ｃに当接しなくなる。このため、骨格フレーム２０のネスティング状態において、上側の骨格フレーム２０の前側への移動が規制されなくなる。これにより、上側の骨格フレーム２０が下側の骨格フレーム２０に対してずれ易くなり、収納ケース１０の梱包状態が崩れる可能性がある。
【００８０】
これに対して、本実施の形態の骨格フレーム２０では、抉り部３３が、枠フレーム３０の幅方向両側部におけるフロント支柱５０とリヤ支柱６０との間の部位の全体に亘って前後方向に延在されている。このため、骨格フレーム２０の幅方向外側へ開放された抉り部３３が骨格フレーム２０の幅方向両側部において局部的に形成されることを抑制できる。これにより、上記比較例１の構成と比べて、骨格フレーム２０の意匠性を向上することができると共に、ひいては、収納ケース１０の意匠性を向上することができる。
【００８１】
さらに、抉り部３３の底面は、湾曲面３３Ａとして構成されており、湾曲面３３Ａが、平面視で、枠フレーム３０の幅方向外側へ凸となる円弧状に湾曲している。また、骨格フレーム２０のネスティング状態では、上側の骨格フレーム２０の湾曲面３３Ａが、下側の骨格フレーム２０におけるフロント支柱５０の角部５０Ｃに当接する。これにより、上側の骨格フレーム２０の湾曲面３３Ａでは、フロント支柱５０（角部５０Ｃ）に当接された部位と湾曲面３３Ａの頂部（前後方向中央部）との間の部分が、下側の骨格フレーム２０におけるフロント支柱５０の角部５０Ｃよりも、幅方向外側に配置される。このため、上側の骨格フレーム２０が下側の骨格フレーム２０に対して前側へ相対移動しようとすると、上側の骨格フレーム２０の湾曲面３３Ａが、下側のフロント支柱５０の角部５０Ｃに食い込むようになる。これにより、上記比較例２の構成と比べて、上側の骨格フレーム２０の前側への移動を抑制することができる。以上により、本実施の形態の骨格フレーム２０によれば、収納ケース１０の意匠性を向上しつつ、ネスティング状態において、上側の骨格フレーム２０が下側の骨格フレーム２０に対して前側へずれることを抑制できる。したがって、例えば、収納ケース１０の梱包状態を良好に維持することができる。
【００８２】
また、枠フレーム３０は、矩形枠状に形成されている。これにより、枠フレーム３０において、孔部３０Ａを省略した構成と比べて、骨格フレーム２０の軽量化を図ることができる。さらに、枠フレーム３０のサイドフレーム部３０Ｓの外周部には、前後方向に延在された第１補強部３４が形成されており、第１補強部３４が、枠フレーム３０の上側へ隆起され且つ下側へ開放された溝状に形成されている。これにより、矩形枠状に形成された骨格フレーム２０（特に、サイドフレーム部３０Ｓ）の曲げ剛性を高くすることができる。したがって、骨格フレーム２０の軽量化を図りつつ、骨格フレーム２０の曲げ剛性を高くすることができる。
【００８３】
また、ケース体７０の骨格フレーム２０への収容状態では、骨格フレーム２０の第１補強部３４がケース体７０の側壁７０Ｂの下端部に対して骨格フレーム２０の幅方向外側に隣接して配置されている。これにより、骨格フレーム２０の曲げ剛性を高くするための第１補強部３４を活用して、ケース体７０のスライド時においてケース体７０をガイドすることができる。
【００８４】
また、第１補強部３４の前端部が、前側へ向かうに従い骨格フレーム２０の幅方向外側へ傾斜されてフロント支柱５０に接続されている。さらに、第１補強部３４の後端部が、骨格フレーム２０の幅方向外側へ屈曲されてリヤ支柱６０に接続されている。このため、リヤ支柱６０の下端部及びフロント支柱５０の下端部が、第１補強部３４によって連結されている。これにより、リヤ支柱６０及びフロント支柱５０のそれぞれの下端部（根元部）を、第１補強部３４によって補強することができる。その結果、例えば、リヤ支柱６０及びフロント支柱５０の倒れ等を抑制することができる。
【００８５】
また、第１補強部３４の内部には、補強リブ３６が形成されており、補強リブ３６は、第１補強部３４の頂壁３４Ｂと、第１補強部３４の外側補強壁３４Ａ及び抉り部３３の湾曲面３３Ａを構成する外周リブ３１と、を連結している。このため、湾曲面３３Ａを構成する外周リブ３１を、補強リブ３６によって補強することができる。その結果、当該外周リブ３１が骨格フレーム２０の幅方向内側への撓み変形することを抑制できる。これにより、骨格フレーム２０のネスティング状態における、上側の骨格フレーム２０が下側の骨格フレーム２０に対して前側へずれることを効果的に抑制できる。
【００８６】
また、枠フレーム３０のサイドフレーム部３０Ｓには、前後方向に延在された第２補強部３５が形成されており、第２補強部３５は、枠フレーム３０の下側へ隆起され且つ上側へ開放された溝状に形成されている。そして、第２補強部３５が、第１補強部３４に対して骨格フレーム２０の幅方向内側に隣接して配置されて、第１補強部３４と連続して形成されている。このため、枠フレーム３０（サイドフレーム部３０Ｓ）の外周部が、凹凸状に形成されている。これにより、枠フレーム３０におけるサイドフレーム部３０Ｓの曲げ剛性を一層高くすることができる。
【００８７】
また、枠フレーム３０の後側の外周部には、左右方向に延在された第３補強部３７が形成されており、第３補強部３７が、枠フレーム３０の上側へ隆起され且つ下側へ開放された溝状に形成されている。このため、枠フレーム３０におけるリヤフレーム部３０Ｒの曲げ剛性を高くすることができる。
【００８８】
また、第３補強部３７は、左右一対のリヤ支柱６０の下端部を連結している。このため、リヤ支柱６０の下端部（根元部）を、第３補強部３７によって補強することができる。これにより、例えば、リヤ支柱６０の倒れ等を抑制することができる。
【００８９】
さらに、枠フレーム３０の上面には、前後方向に延在された連結リブ３８が形成されており、連結リブ３８は、第１補強部３４及び第３補強部３７を連結している。具体的には、連結リブ３８が、第１補強部３４の内側補強壁３４Ｃの後端部から後側へ延出されて、第３補強部３７に接続されている。このため、枠フレーム３０の外周部には、第１補強部３４、連結リブ３８、及び第３補強部３７によって構成された補強部が、連続して形成されると共に、当該補強部が、平面視で前側へ開放された略Ｕ字形状に形成されている。したがって、枠フレーム３０の全体の曲げ剛性を効果的に高くすることができる。
【００９０】
また、枠フレーム３０の裏面には、リヤ支柱６０から枠フレーム３０の幅方向内側へ延出されたサイドリブ３９Ｒが形成されており、サイドリブ３９Ｒの先端部が、後側の内周リブ３２に接続されている。このため、枠フレーム３０の後端部には、内周リブ３２とサイドリブ３９Ｒとによって構成された補強用のリブが、左右方向に直線状に延在されて、左右一対のリヤ支柱６０を連結している。したがって、枠フレーム３０の後端部の曲げ剛性を効果的に高くすることができると共に、リヤ支柱６０の倒れを効果的に抑制することができる。
【００９１】
また、収納ケース１０では、最上段に配置されたケース体７０の開口端面と天板８０の下端面との上下位置が一致している。これにより、ケース体７０の内部に異物が浸入することを抑制することができる。
【００９２】
また、収納ケース１０では、下側のケース体７０の開口端面と上側の骨格フレーム２０の下端面との上下位置が一致している。これにより、ケース体７０の内部に異物が浸入することを抑制することができる。
【００９３】
なお、本実施の形態では、骨格フレーム２０の抉り部３３が、フロント支柱５０とリヤ支柱６０との間の部位の全体に亘って前後方向に延在されているが、抉り部３３をフロント支柱５０とリヤ支柱６０との間に局部的に形成してもよい。例えば、抉り部３３の前後方向の寸法を、フロント支柱５０の前後方向の寸法よりも若干大きい寸法に設定すると共に、抉り部３３をフロント支柱５０の後側に隣接配置してもよい。この場合には、骨格フレーム２０のネスティング状態において、下側の骨格フレーム２０のフロント支柱５０が、上側の骨格フレーム２０の抉り部３３に嵌合されるため、上側の骨格フレーム２０の前側へのずれを防止することができる。
【００９４】
また、本実施の形態では、骨格フレーム２０の枠フレーム３０が、矩形枠状に形成されているが、枠フレーム３０において、孔部３０Ａおよび内周リブ３２を省略して、枠フレーム３０を矩形板状に形成してもよい。さらに、この場合には、ケース体７０のストッパ７５が挿入される溝状の孔部を、枠フレーム３０に形成してもよい。
【００９５】
また、本実施の形態では、補強リブ３６が、第１補強部３４の頂壁３４Ｂと、第１補強部３４の外側補強壁３４Ａ及び抉り部３３（外周リブ３１）と、を連結する構成になっているが、補強リブ３６の構成は、これに限らない。例えば、補強リブ３６によって、第１補強部３４の内側補強壁３４Ｃと、頂壁３４Ｂと、外側補強壁３４Ａ及び抉り部３３（外周リブ３１）と、を連結する構成にしてもよい。これにより、湾曲面３３Ａを構成する外周リブ３１が、骨格フレーム２０の幅方向内側へ撓み変形することを効果的に抑制することができる。
【００９６】
また、本実施の形態では、補強リブ３６の前後位置は特に規定していないが、補強リブ３６の前後位置を以下のように設定してもよい。すなわち、骨格フレーム２０のネスティング時にフロント支柱５０の角部５０Ｃが当接する湾曲面３３Ａの部位に対応した位置に、複数の補強リブ３６の内の１つが配置されるように、補強リブ３６の前後位置を設定してもよい。これにより、骨格フレーム２０のネスティング時に、湾曲面３３Ａを構成する外周リブ３１が、骨格フレーム２０の幅方向内側へ撓み変形することをより一層効果的に抑制することができる。
【００９７】
また、本実施の形態では、骨格フレーム２０の湾曲面３３Ａが、凹凸のない面として構成されているが、湾曲面３３Ａに上下方向に延在された規制リブ等を形成してもよい。具体的には、骨格フレーム２０のネスティング時に、下側の骨格フレーム２０のフロント支柱５０の角部５０Ｃに当接する規制リブを、湾曲面３３Ａに形成してもよい。これにより、骨格フレーム２０のネスティング時に、上側の骨格フレーム２０が下側の骨格フレーム２０に対して前側へずれることを、一層抑制することができる。また、湾曲面３３Ａに規制リブを形成する場合には、抉り部３３の底面を平面視で前後方向に直線状に沿った面として構成してもよい。
【符号の説明】
【００９８】
１０   収納ケース
２０   骨格フレーム
３０   枠フレーム（底フレーム）
３１   外周リブ
３３   抉り部
３３Ａ 湾曲面
３４   第１補強部
３５   第２補強部
３６   補強リブ
３７   第３補強部
３８   連結リブ
５０   フロント支柱
５０Ｃ 角部
６０   リヤ支柱
７０   ケース体
８０   天板
【図１】
2020195476.tif 000003
【図２】
2020195476.tif 000004
【図３】
2020195476.tif 000005
【図４】
2020195476.tif 000006
【図５】
2020195476.tif 000007
【図６】
2020195476.tif 000008
【図７】
2020195476.tif 000009
【図８】
2020195476.tif 000010
【図９】
2020195476.tif 000011
【図１０】
2020195476.tif 000012
【図１１】
2020195476.tif 000013
【図１２】
2020195476.tif 000014
【図１３】
2020195476.tif 000015